(57)【要約】【課題】冷凍倉庫等の断熱開口部の屋外側面部に開口枠部６を設け、該開口部の開閉をする戸体の戸尻側部に閉鎖時開口部枠の屋外側面部６ｃに摺接するシール材１２を設けるにあたり、シール材１２の摺動抵抗を低減する。【解決手段】開口部枠６のシール材１２が摺接する部位を凹凸面６ｄにして摺動抵抗を低減する。【選択図】図４
2017015301.tif 000002
【特許請求の範囲】
【請求項１】
冷凍倉庫等の断熱開口部の屋外側面部に開口部枠を設け、閉鎖姿勢の戸体の開口部枠に対向する屋内側面部にシール材を設け、該シール材の先端部を開口部枠の屋外側面に摺接させることで断熱するように構成するにあたり、戸体の戸尻部位に設けたシール材の先端部が摺接する開口部枠の屋外側面は、少なくとも戸体が閉鎖姿勢から開放する過程においてシール材先端部が摺接する範囲が凹凸面になっていることを特徴とする断熱開口部の開閉装置。
【請求項２】
戸体が片引き式のものである場合に、該戸体は、戸先部位にもシール材が設けられて戸先側開口部枠とのあいだの断熱をするものとし、戸体の戸尻部位に設けた戸尻側シール材の先端部が摺接する開口部枠の屋外側面には、さらに戸体が開放状態から全開するまでの過程で前記戸先部位に設けた戸先側シール材が摺接する範囲についても凹凸面になっていることを特徴とする請求項１記載の断熱開口部の開閉装置。
【請求項３】
戸体の戸尻部位に設けたシール材の先端部が摺接する開口部枠の屋外側面は、全面が凹凸面になっていることを特徴とする請求項１または２記載の断熱開口部の開閉装置。
【発明の詳細な説明】
【技術分野】
【０００１】
本発明は、冷凍倉庫や冷蔵倉庫等の倉庫の出入り口である断熱開口部の開閉装置の技術分野に関するものである。
【背景技術】
【０００２】
一般に、冷蔵庫や冷凍庫のなかには業務用として倉庫形式にした大型の断熱倉庫があるが、このような断熱倉庫の出入り口である断熱開口部は、引き戸や開き戸のような戸体で開閉するようにしているが、開口部を戸体で閉めたとき、断熱性を備えたものとして冷気が躯体外に逃げないように対処することが要求される。戸体が引き戸である場合、該戸体は、開閉移動を円滑にするため戸体の屋内側面と躯体の屋外側面とのあいだに隙間を設ける必要があり、この場合に、断熱開口部を戸体で閉めたとしても、戸枠部分と開口部との互いに対向する面部間のあいだに隙間から冷気が逃げてしまうという問題がある。そこで開口部の屋外側面部に開口部枠（化粧枠）を設け、戸体の屋内側面部に、先端部が開口部枠に当接するシール材を設けて、戸体を閉めたとき、両面部間の隙間を封止するようにして戸体の開閉移動の円滑性を可及的に妨げないようにしながら冷気が外に逃げないようにすることが試みられている。
このようなものにおいて、シール材の先端部が、戸体の開閉に対応して平面を摺動するものである場合に、摺動抵抗が高くなって戸体の軽快な開閉作動が損なわれる、という問題がある。そこでシール材先端部が摺動する部位を凹凸面とした突条に戸体の周縁に固着したシール材（図示されていない）を当接させることで断熱をするようにしたものが提唱されている（例えば特許文献１の第５欄第１〜３行参照）。
ところがこのものではシール材の形状等が具体的に記載されていないため、どのような断熱なのか具体的に知ることができないという問題がある。
これに対し、凹凸のあるシール部を防熱パッキンに摺接することで断熱するようにしたものがある（特許文献２参照）。
【先行技術文献】
【特許文献】
【０００３】
【特許文献１】実公平３−８９３５号公報
【特許文献２】特公平６−６０７８３号公報
【発明の概要】
【発明が解決しようとする課題】
【０００４】
しかしながら特許文献２のものは、防熱パッキンが平板状のものであって、この平板面がシール部に摺接するものであるため、特に縦枠についてはシール材の摺動面積が大きいものであるから、その摺動抵抗が大きくなって戸体の円滑な開閉作動が損なわれるという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、冷凍倉庫等の断熱開口部の屋外側面部に開口部枠を設け、閉鎖姿勢の戸体の開口部枠に対向する屋内側面部にシール材を設け、該シール材の先端部を開口部枠の屋外側面に摺接させることで断熱するように構成するにあたり、戸体の戸尻部位に設けたシール材の先端部が摺接する開口部枠の屋外側面は、少なくとも戸体が閉鎖姿勢から開放する過程においてシール材先端部が摺接する範囲が凹凸面になっていることを特徴とする断熱開口部の開閉装置である。
請求項２の発明は、戸体が片引き式のものである場合に、該戸体は、戸先部位にもシール材が設けられて戸先側開口部枠とのあいだの断熱をするものとし、戸体の戸尻部位に設けた戸尻側シール材の先端部が摺接する開口部枠の屋外側面には、さらに戸体が開放状態から全開するまでの過程で前記戸先部位に設けた戸先側シール材が摺接する範囲についても凹凸面になっていることを特徴とする請求項１記載の断熱開口部の開閉装置である。
請求項３の発明は、戸体の戸尻部位に設けたシール材の先端部が摺接する開口部枠の屋外側面は、全面が凹凸面になっていることを特徴とする請求項１または２記載の断熱開口部の開閉装置である。
【発明の効果】
【０００６】
請求項１の発明とすることにより、戸尻部位のシール材は、開口部枠の屋外側面に形成の凹凸面を摺動することになって摺動抵抗が低減し、戸体の開閉作動が円滑になる。
請求項２の発明とすることにより、戸体が片引き式である場合に、戸尻側シール材だけでなく、戸先側シール材についても戸尻側開口部枠に対する摺動抵抗が低減し、開閉作動が円滑になる。
請求項３の発明とすることにより、開口部枠を共通化できることになる。
【図面の簡単な説明】
【０００７】
【図１】（Ａ）（Ｂ）（Ｃ）は躯体開口部の正面図、横断面図、縦断面図である。
【図２】（Ａ）（Ｂ）は躯体開口部の閉鎖状態を示す拡大横断面図、開放状態を示す拡大横断面図である。
【図３】（Ａ）（Ｂ）は躯体開口部の開口部枠がある部位の拡大縦断面図、ない部位の拡大縦断面図である。
【図４】（Ａ）（Ｂ）（Ｃ）は上枠部位の拡大縦断面図、縦枠部位の拡大横断面図、ヒーター保持材を取り除いた状態の縦枠部位の拡大横断面図である。
【図５】（Ａ）（Ｂ）は第二の実施の形態を示す躯体開口部の閉鎖時の正面図、横断面図である。
【図６】（Ａ）（Ｂ）は第二の実施の形態を示す躯体開口部の閉鎖時の拡大横断面図、開放時の拡大横断面図である。
【図７】シール材先端部と凹凸面との摺接状態を示す拡大断面図である。
【発明を実施するための形態】
【０００８】
以下、本発明の実施の形態について、図面に基づいて説明する。図面において、１は冷蔵または冷凍倉庫等の倉庫の壁体（壁）であって、該壁体１は断熱性がある素材を用いて構築されているが、壁体１に形成される開口部には両引き式引き戸の戸体２が左右方向開閉移動自在となるよう開口部上縁部に設けたガイドレール３に戸体２の上端縁に設けた走行ローラ４が転動自在に支承されている。そして戸体２は、本実施の形態では電動モータ５の正逆駆動により開口部の開閉ができるようになっていること等は何れも従来通りである。勿論、戸体２の開閉移動は電動式でなく手動式であってもよい。尚、戸体２の戸先側端には、左右の戸体２同士が閉鎖したときに互いに弾性変形する状態で当接して密閉するシール材２ａが設けられている。
【０００９】
６は開口部屋外側面部１ａの左右両側および上側に取付けられる三方の開口部枠（化粧枠）であって、該開口部枠６は、屋外側面部１ａに当接してボルト７を介して壁体１に固定される第一枠材６ａと、該第一枠材６ａに屋外側から外嵌し、側面がビス７ａを介して第一枠材６ａに固定される第二枠材６ｂとで構成されるが、第一、第二枠材６ａ、６ｂ内の空間には発泡硬質ポリ塩化ビニルや発泡硬質ポリウレタン等の発泡樹脂材からなる断熱材８が充填されていて断熱性を確保するようになっている。
また壁体１の左右両側および上側の開口端縁には端板９が空間を有するようにして設けられ、該空間には同じく断熱材（前記開口枠６に充填された断熱材と同質材であっても異質材であってもよい。）９ａが充填されていて断熱性を確保するようになっている。
【００１０】
１０は戸体２の屋内側面２ｂの戸尻側位置に取付けられるシール材保持部であって、該シール材保持部１０は、戸体２が全閉したときに開口部枠６の屋外側面（第二枠材６ｂの屋外側面）に対向する位置（戸体２の上端側部位と戸尻側部位）に取付けられている。シール材保持部１０は、ポリ塩化ビニル（ＰＶＣ）等の可撓性を有する樹脂材によって形成されたものであるが、本実施の形態では長方体形状をし、屋内側面部１０ｄの中央部位が凹陥状になっていて電熱ヒーター１１を取付けるためのヒーター保持溝１０ａが形成され、該ヒーター保持溝１０ａを間に挟んだ両側面部には、シール材１２の基部１２ａを無理嵌め嵌合して保持する蟻溝状のシール材保持溝１０ｂが形成されるが、シール材保持溝１０ｂは、倉庫内の設定温度（例えば０℃、−１０℃、−５０℃等）によって保持されるシール材１２の数を調整することができるよう、本実施の形態ではヒーター保持溝１０ａを中央に挟む状態で両側に一対ずつ、都合４つが形成されている。
【００１１】
前記シール材１２は、ポリ塩化ビニル（ＰＶＣ）等の可撓性を有する高分子樹脂材によって形成され、前述したようにシール材保持溝１０ｂに嵌合係止する基部１２ａと、該基部１２ａから平板状に延出したシール部１２ｂとによって構成されているが、後述するようにシール材保持部１０をビス１０ｃを介して戸体２に取り付けた状態で戸体２を全閉したときに、シール部１２ｂは、戸尻側に湾曲する状態で先端が開口部枠６の屋外側面部６ｃに当接して封止するようになっている。
【００１２】
前記ヒーター保持溝１０ａにはアルミニウム等の金属製で、屋内側が開口した断面略凵字形のヒーター保持材１３が内嵌取り付けされ、該ヒーター保持材１３に電熱ヒーター１１が内装されるが、本実施の形態では、ヒーター保持材１３の開口部端がシール材保持部１０の屋内側面部１０ｄよりも僅かに屋内側に突出し、該突出部位に開口部を覆蓋するべくステンレス等の金属素材からなる蓋体１３ａを係脱自在に係止するための係止部１３ｂが形成されている。電熱ヒーター１１は、一本状のものを折返した一対が不燃のシート１４によって対向間隔を存する状態で被覆されたものをヒーター保持材１３に組み込むことになるが、本実施の形態では都合４本の電熱ヒーター１１を組み込むものであるため、最初の一対の電熱ヒーター１１は、ヒーター保持材１３の底部コーナー位置に位置する対向間隔を有する状態でシート１４に被覆され、該シート１４の電熱ヒーター１１間の間隙部位は余剰部１４ａとなってヒーター保持材１３の底部に積層する状態となり、次の一対の電熱ヒーター１１は、前記最初に被覆された電熱ヒーター１１に対して開口側に位置するよう対向間隔を存してシート１４に被覆されるが、この場合のシート１４の電熱ヒーター１１間の間隙部位は次の余剰部１４ａとなって、前記積層した最初のシート余剰部１４ａに積層される設定になっている。
尚、シート１４による電熱ヒーター１１の被覆は、ヒーター保持材１３内全長に亘って行ってもよいが、点在するビス１０ｃの螺入部位周辺のみを行ってもよいものである。
因みに電熱ヒーター１１は、戸体２の上端部、戸尻側端部だけでなく、戸先側端部、下端部を含めた四周に亘って連続する状態（直列接続される状態）で設けられているが、本実施の形態では戸先側端部および下端部の電熱ヒーターについての図示は省略している。
【００１３】
そしてシール材保持部１０は、ヒーター保持溝１０ａにヒーター保持材１３が組み込まれ、該ヒーター保持材１３にシート１４に被覆された電熱ヒーター１１が組込まれた状態で戸体２の屋内側面部２ｂに当てがい、シート余剰部１４ａ、ヒーター保持材１３の底部、ヒーター保持溝１０ａの底部を通したビス１０ｃを戸体２に螺入緊締することで戸体２に取付けられるようになっており、このようにすることで、電熱ヒーター１１のヒーター保持材１３への組み込み固定と、ヒーター保持材１３のシール材保持部１０への固定と、シール材保持部１０の戸体２への取り付け固定とを同時的に行うことができるようになっている。
そしてこのようにして電熱ヒーター１１、ヒーター保持材１３、シール材保持部１０の取り付け固定をした後、前記蓋体１３ａを係止部１３ｂに係止することで電熱ヒーター１１が組込まれたシール材保持部１０の組込みが完了し、戸体２を全閉したときに、蓋体１３ａと、これを挟む両側のシール材１２と、シール材１２の先端が当接する開口部枠６の屋外側面６ｃとによって囲撓される空間が結露防止空間Ｓとして形成されるようになっている。
【００１４】
また１５はサーモスタットであって、該サーモスタット１５は、電熱ヒーター１１及び電動モータ５に電源供給するための電源コード１６から直列接続される状態で引き回された延長コード（図示せず）に接続されたものであり、このように接続されたサーモスタット１５をヒーター保持材１３内に収容することで、ヒーター保持材１３内の温度コントロールができるよう電源のオン−オフをするものである。
【００１５】
一方、前記開口部枠６のシール材当接面、本実施の形態では第二枠材６ｂの屋外側面６ｃは、少なくともシール材１２の先端部が当接する範囲に線状の凹凸面６ｄになっており、これにより戸体２が移動する際に、屋外側面６ｃとシール材１２の先端部とのあいだの摺動抵抗を軽減して軽快な扉体２の開閉作動ができるように配慮している。
尚、本実施の形態では凹凸面６ｄは全幅であるが、凹凸面６ｄは、最低限、シール材１２の先端部が摺接する範囲だけあれば足り、この結果、図２において太線で示すように、戸体２が開閉するにあたり、シール材１２の先端部が摺接する範囲だけ最低限あれば足りることになる。
【００１６】
叙述の如く構成された本実施の形態において、戸体２の開閉により断熱倉庫への出入りと開口部の閉鎖とができることになるが、戸体２が閉鎖している状態から開放作動する場合に、戸体２の戸尻側に設けられるシール材１２の先端部は、開口枠部６の屋外側面部６ｃに形成の凹凸面６ｄに摺接する状態で移動することになり、このため、シール材１２の先端部の摺動抵抗が低減されることになって、戸体２の開閉作動が円滑になる。
【００１７】
この場合に、戸体２の開閉にあたり、開口部枠６において、縦枠についてはシール材１２が上下全長に亘って同時的に摺動することになるため摺動抵抗が大きくなって戸体２の円滑な開閉作動を阻害することになるため、凹凸面６ｄとしては、縦枠のシール材１２の先端部が摺接する面（図２の太線部分）だけ凹凸面６ｄになっていれば足りるが、本発明が実施されたものにおいては、凹凸面６ｄは、開口部枠６の屋外側面部の全域に形成されているため、両引き式の引き戸において、開口部枠６の左右縦枠の供用ができると共に、上枠についても凹凸面６ｄがあるものとなって摺動抵抗を低減できるうえ、共用もできることになって兼用化が図れることになる。
因みに、凹凸面６ｄについては図７に示すように凸面６ｇが半円柱状となっているため、ここに摺接するシール材１２の先端部の擦過による損耗が低減できる、という利点があり都合がよい。
【００１８】
尚、本発明は前記実施の形態に限定されるものでないことは勿論であって、図５、６に示す第二の実施の形態のように片引き式の戸体２においても実施することができる。この場合に、シール材１２は、戸体２の戸尻部位だけでなく、戸先部位にも設けられることになり、この戸先部位に設けた戸先側シール材１２は、戸体２が全開になる直前で戸尻部位に設けた戸尻側シール材１２が摺接していた開口部枠６の屋外側面６ｃに摺接することになるが、この場合に、開口部枠６の戸尻側縦枠６ｅについては、戸尻側シール材１２だけでなく、戸先側シール材１２が摺接するため、この部分についても凹凸面６ｄになっている（図６の太線部分）構成にすることで、摺動抵抗が少ないより円滑な開閉作動をすることになる。また開口部枠６の戸先側縦枠６ｆについては、戸先側シール材１２が摺接する部分だけ、最低限凹凸面６ｄとすることで該部分についても摺動抵抗を低減することができる。
また本実施の形態では、この屋外側面６ｃ全体に凹凸面６ｄが形成されているため、全開になるときの戸先側シール材１２の摺動抵抗も低減できることになって開放作動が円滑になると共に、開口部枠６を、両引き式、片引き式の何れにも用いることができ、ここにおいても共用化が達成できる。
【産業上の利用可能性】
【００１９】
本発明は、冷凍倉庫や冷蔵倉庫等の断熱開口部の開閉装置として利用することができる。
【符号の説明】
【００２０】
１    躯体
１ａ  屋外側面部
２    戸体
２ｂ  屋内側面部
６    開口部枠
６ｃ  屋外側面部
６ｄ  凹凸面
１０    シール材保持部
１２    シール材
【図１】
2017015301.tif 000003
【図２】
2017015301.tif 000004
【図３】
2017015301.tif 000005
【図４】
2017015301.tif 000006
【図５】
2017015301.tif 000007
【図６】
2017015301.tif 000008
【図７】
2017015301.tif 000009